(57)【要約】【課題】ディスク状媒体の記録時に使用する部品の点数やコストの増加を抑え、紛失を防止することができる被記録媒体トレイ及びその被記録媒体トレイを備えた記録装置を提供すること。【解決手段】インクジェット式プリンタ１００に着脱可能であるスタッカ１３２がディスク状媒体の記録時に使用するトレイを兼ねる構造に形成されている。これにより、シート状媒体のスタッカ機能とディスク状媒体のトレイ機能をインクジェット式プリンタ１００に着脱可能な１つの部品で賄うことができるので、部品の点数やコストの増加を抑えることができると共に紛失を防止することができる。【選択図】図６
2007276176.tif 000002
【特許請求の範囲】
【請求項１】
シート状及びディスク状の被記録媒体の表面に記録が可能な記録装置に着脱可能であり、前記シート状の被記録媒体を載置可能な被記録媒体トレイであって、
前記ディスク状の被記録媒体の記録時に使用するトレイを兼ねる構造に形成されていることを特徴とする被記録媒体トレイ。
【請求項２】
略平板の部材で構成された載置部を有しており、前記載置部の一方の面は、前記シート状の被記録媒体を載置する構造に形成され、他方の面は、前記ディスク状の被記録媒体を載置する構造に形成されていることを特徴とする請求項１に記載の被記録媒体トレイ。
【請求項３】
前記ディスク状の被記録媒体を載置する構造は、円状溝であることを特徴とする請求項２に記載の被記録媒体トレイ。
【請求項４】
前記円状溝の周縁の一部に、半円状溝を配設したことを特徴とする請求項３に記載の被記録媒体トレイ。
【請求項５】
前記半円状溝の深さは、前記円状溝の深さよりも浅くしたことを特徴とする請求項４に記載の被記録媒体トレイ。
【請求項６】
前記記録装置に装着する際に、前記記録装置に差込まれる差込部を有し、
前記載置部は、前記差込部に対して所定の角度を設けて形成されていることを特徴とする請求項２〜５の何れか一項に記載の被記録媒体トレイ。
【請求項７】
前記ディスク状の被記録媒体への記録を行う際に、前記載置部の前記差込部に対して反対側の部分から前記記録装置に挿入されるようになっており、
前記載置部の挿入方向の長さが、前記載置部が最も挿入された際であっても、前記差込部が前記記録装置と接触しない長さに形成されていることを特徴とする請求項６に記載の被記録媒体トレイ。
【請求項８】
シート状及びディスク状の被記録媒体の表面に記録が可能な記録装置であって、
請求項１〜７の何れか一項に記載の被記録媒体トレイを備えたことを特徴とする記録装置。
【発明の詳細な説明】
【技術分野】
【０００１】
本発明は、被記録媒体を載置する被記録媒体トレイ、及びその被記録媒体トレイを備え、シート状及びディスク状の被記録媒体の表面に記録が可能な記録装置に関する。
【背景技術】
【０００２】
記録装置の１つであるインクジェット式プリンタや熱転写式プリンタは、画像を記録する用紙が載置された給紙トレイから用紙を搬送し、記録ヘッドが搭載されたキャリッジを用紙の搬送直交方向（主走査方向）に往復移動させることにより記録し、画像が記録された用紙を排紙トレイへ搬送して載置させる。
【０００３】
このような記録装置においては、給紙トレイや排紙トレイ等の被記録媒体トレイが記録装置本体から着脱可能になっているものがある（特許文献１参照）。
【０００４】
ところで、近年、個人的にデータ書き込み可能なＣＤ−ＲＷ／ＲやＤＶＤ−ＲＷ／Ｒ等の光ディスクが普及してきたことから、その表面にラベルの記録が可能なインクジェット式プリンタが開発されている。光ディスクの表面に記録する場合、光ディスクは通常の用紙のように供給・搬送することができないので、矩形平板状のディスクトレイに光ディスクを収納し、このディスクトレイを搬送することにより光ディスクの表面に記録するようにしている。
【０００５】
【特許文献１】特開２００３−２０１０３４号公報
【発明の開示】
【発明が解決しようとする課題】
【０００６】
上述したディスクトレイは、光ディスクの表面に記録する場合にのみ使用されるため、インクジェット式プリンタとは別体で構成されている。従って、ディスクトレイの分だけ部品点数や部品コストが増加する。また、通常の用紙に記録するときは、ディスクトレイをプリンタ設置場所とは別に設けたトレイ収納場所に保管しておく必要がある。このため、ユーザのディスクトレイの管理が不十分な場合は、ディスクトレイを紛失するおそれがある。
【０００７】
本発明は、上記のような種々の課題に鑑みなされたものであり、その目的は、ディスク状の被記録媒体の記録時に使用する部品の点数やコストの増加を抑え、紛失を防止することができる被記録媒体トレイ及びその被記録媒体トレイを備えた記録装置を提供することにある。
【課題を解決するための手段】
【０００８】
上記目的達成のため、本発明の被記録媒体トレイでは、シート状及びディスク状の被記録媒体の表面に記録が可能な記録装置に着脱可能であり、前記シート状の被記録媒体を載置可能な被記録媒体トレイであって、前記ディスク状の被記録媒体の記録時に使用するトレイを兼ねる構造に形成されていることを特徴とする。これにより、シート状媒体のスタッカ機能とディスク状媒体のトレイ機能を記録装置に着脱可能な１つの部品で賄うことができるので、部品の点数やコストの増加を抑えることができると共に紛失を防止することができる。
【０００９】
また、略平板の部材で構成された載置部を有しており、前記載置部の一方の面は、前記シート状の被記録媒体を載置する構造に形成され、他方の面は、前記ディスク状の被記録媒体を載置する構造に形成されていることを特徴とする。これにより、シート状媒体のスタッカ機能とディスク状媒体のトレイ機能とに必要な機能を適切に発揮することができる。
【００１０】
また、ディスク状の被記録媒体を載置する構造は、円状溝であることを特徴とする。これにより、円盤状のディスク状媒体を載置することができる。また、前記円状溝の周縁の一部に、半円状溝を配設したことを特徴とする。これにより、ディスク状媒体を容易に取り出すことができる。また、前記半円状溝の深さは、前記円状溝の深さよりも浅くしたことを特徴とする。また、前記記録装置に装着する際に、前記記録装置に差込まれる差込部を有し、前記載置部は、前記差込部に対して所定の角度を設けて形成されていることを特徴とする。これにより、載置部を所定の角度を付けた状態で記録装置に装着することができる。
【００１１】
また、前記ディスク状の被記録媒体への記録を行う際に、前記載置部の前記差込部に対して反対側の部分から前記記録装置に挿入されるようになっており、前記載置部の挿入方向の長さが、前記載置部が最も挿入された際であっても、前記差込部が前記記録装置と接触しない長さに形成されていることを特徴とする。これにより、差込部の記録装置への接触による影響を受けることなく、適切にディスク状の被記録媒体に記録することができる。上記目的達成のため、シート状及びディスク状の被記録媒体の表面に記録が可能な記録装置であって、上記被記録媒体トレイを備えたことを特徴としている。これにより、上記各作用効果を奏する記録装置を提供することが可能である。
【発明を実施するための最良の形態】
【００１２】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１３】
図１は、本発明の一実施形態に係る記録装置の１つであるインクジェット式プリンタの外部構成全体の斜視図、図２は、このインクジェット式プリンタのペーパーサポート及びスタッカ取付時の外部構成全体の斜視図、図３は、その内部構成の概略を示す斜視図であり、図４は、その内部構成概略を示す断面側面図である。このインクジェット式プリンタ１００は、例えば名刺、カード、Ｌ判／２Ｌ判、ハガキ、六切やＪＩＳ規格のＡ６判からＡ４判までのサイズの単票紙（シート状の被記録媒体）と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスク（ディスク状の被記録媒体）のレーベル面に記録することができる機能を備えている。
【００１４】
インクジェット式プリンタ１００は、図１及び図２に示すように全体が幅方向に長く延びる略直方体状の上部ハウジング１０１と下部ハウジング１０２とを備えている。上部ハウジング１０１と下部ハウジング１０２とは、締結されている。
【００１５】
そして、上部ハウジング１０１の上面における図示左後方側には操作部１１０が配設され、上面における背面側には、シート状の被記録媒体の一例としての用紙を載置する給紙部１２０が配設され、前面側には排紙部１３０が配設されている。更に、このインクジェット式プリンタ１００の内部には、図３及び図４に示すように、用紙搬送部１４０、及び記録部１５０が配設されている。
【００１６】
また、上部ハウジング１０１の上部後方から前面部にかけて開口部１０３が形成されている。この開口部１０３は、開閉自在なプリンタカバー１０４によって覆われている。ユーザは、プリンタカバー１０４を持ち上げて開口部１０３を開放することにより、インクカートリッジの交換作業や用紙搬送部１４０や記録部１５０等の内部機構のメンテナンス作業等を簡易に行うことができる。
【００１７】
操作部１１０は、図１に示すように、パワーをオン・オフするパワー系、用紙の頭出し等を操作したりインクのフラッシング等を操作したりする操作系、画像処理等を行う処理系等のボタン１１３が配設されている。操作部１１０下方のインクジェット式プリンタ１００の内部には、プリンタコントローラを構成する図示しないメイン基板が配設されていて、ＣＰＵ、ＲＯＭ、ＲＡＭ、ＡＳＩＣ等の制御素子や記憶素子、及びその他の各種回路素子が装着されている。メイン基板上端には、パワー系、操作系のボタン１１３が押された時にそれぞれ発光して、ユーザにボタン１１３のオン・オフを確認し得るように配置されたＬＥＤがボタン１１３ごとに突設されている。
【００１８】
給紙部１２０は、図１及び図２に示すように、上方に向かって矩形状に開口した給紙口１２１と、給紙する用紙を１枚もしくは複数枚サポートするペーパーサポート１２２（被記録媒体トレイ）を備えている。このペーパーサポート１２２は、プリンタ本体の図示しない後壁部に形成された差込口に差し込んで取り付けることができる。従って、ユーザは、インクジェット式プリンタ１００の使用又は不使用に応じて、ペーパーサポート１２２を自由に着脱することができる。したがって、不使用時においては、ペーパーサポート１２２を離脱させておくことにより、インクジェット式プリンタ１００をコンパクトにすることができる。
【００１９】
このペーパーサポート１２２の下方側には、図２及び図３に示すように、用紙の両サイドエッジをガイドする固定エッジガイド２３と可動エッジガイド２４等を備えている。固定エッジガイド２３は、図示右側壁に沿う形状でホッパ４１と一体形成され、可動エッジガイド２４は、図示左側壁に沿う形状に形成されている。可動エッジガイド２４は、後壁のガイドレールに沿って図示左側壁から右側壁の方向に摺動可能なように取り付けられている。固定エッジガイド２３と可動エッジガイド２４とは、用紙のサイズが異なっても確実に用紙の両側縁をガイドすることができるので、給送を高精度に行うことができる。
【００２０】
排紙部１３０は、図２に示すように、前方に向かって矩形状に開口した排紙口１３１と、本発明の特徴的な部分であるスタッカ１３２（被記録媒体トレイ）とを有する。このスタッカ１３２は、排紙される用紙を１枚もしくは複数枚スタックする機能と、光ディスクのレーベル面に記録する際に光ディスクを保持するトレイ機能とを併せ持っている。ここで、光ディスクは例えばポリカーボネイト等の硬質プラスチックで円盤状に形成されているため、光ディスクのレーベル面に記録を行う場合に屈曲を伴う搬送ができないので、トレイに光ディスクを収納して搬送する必要がある。このスタッカ１３２は、排紙口１３１の下方のプリンタ本体に形成されたスタッカ差込口１３３に差し込んで取り付けることができる。従って、ユーザは、インクジェット式プリンタ１００の使用又は不使用に応じて、スタッカ１３２を自由に着脱することができる。したがって、不使用時においては、スタッカ１３２を離脱させておくことにより、インクジェット式プリンタ１００をコンパクトにすることができる。更に、記録後の用紙は常に前面側から排紙されるので、ユーザは用紙を容易に取り出すことができる。
【００２１】
用紙搬送部１４０は、図４に示すように、給紙部１２０から排紙部１３０に掛けて配設されており、自動給紙機構１４１、搬送機構１４２、排紙機構１４３を備えている。自動給紙機構１４１は、ペーパーサポート１２２にサポートされている用紙を給送するために持ち上げるホッパ４１、このホッパ４１により持ち上げられた用紙を取り出す給紙ローラ４２、この給紙ローラ４２により重送された用紙を１枚のみに分離するリタードローラ４３、このリタードローラ４３により分離された残りの用紙をホッパ４１へ戻す紙戻しレバー４４等を備えている。
【００２２】
ホッパ４１は、用紙が載置可能な平板状に形成されて後壁と略平行に配設されており、下端が給紙ローラ４２の近傍に位置し、上端が後壁頂部に近接して位置するように配設されている。そして、ホッパ４１は、後壁に一端が取り付けられた図示しない圧縮バネの他端が下端側の裏面に取り付けられており、この圧縮バネの伸縮により上端側を中心に下端側が旋回するように配設されている。
【００２３】
給紙ローラ４２は、断面の一部が切り欠かれたＤ字状に形成されてホッパ４１の下端近傍に配設されており、間欠的に回転してホッパ４１により持ち上げられた用紙を摩擦給送するようになっている。リタードローラ４３は、給紙ローラ４２と当接可能に配設されており、給紙ローラ４２により用紙が重送されたときに最上層の用紙のみを下層の用紙から摩擦分離するようになっている。紙戻しレバー４４は、爪状に形成されて給紙ローラ４２の近傍に配設されており、リタードローラ４３により分離された下層の用紙を爪に掛けてホッパ４１へ戻すようになっている。
【００２４】
搬送機構１４２は、記録動作に同期して副走査方向に用紙を送る紙送りローラ４５とその従動ローラ４６等が配設されている。紙送りローラ４５は、プラテン１５３の搬送上流側に配設されており、給紙ローラ４２により給送される用紙を従動ローラ４６と共に挟持してプラテン１５３へ送り出すようになっている。
【００２５】
排紙機構１４３は、排紙ローラ４７と第１ギザローラ４８ａ及び第２ギザローラ４８ｂ等を備えている。第１ギザローラ４８ａは、プラテン１５３の搬送下流側に配設され、第２ギザローラ４８ｂと排紙ローラ４７は、第１ギザローラ４８ａの搬送下流側に対向配設されており、プラテン１５３を通過してくる用紙を先ず第１ギザローラ４８ａで排送し、続いて第２ギザローラ４８ｂと排紙ローラ４７で挟持してスタッカ１３２上へ排紙するようになっている。尚、第１ギザローラ４８ａ及び第２ギザローラ４８ｂは、図示しない同一の保持部材により保持されている。
【００２６】
記録部１５０には、記録動作に同期して主走査方向に移動するキャリッジ１５１、記録動作に同期してインクを吐出する記録ヘッド１５２、記録時の用紙を平坦に保持するプラテン１５３等が配設されている。キャリッジ１５１は、プラテン１５３の上方でキャリッジガイド１５４に支持されてキャリッジベルト１５５に連結されており、キャリッジモータ１５６によってキャリッジベルト１５５が作動すると、キャリッジベルト１５５の動きに連行され、キャリッジガイド１５４に案内されて往復移動するようになっている。このキャリッジ１５１の内部には、複数のインクカートリッジが抜き差し可能なカートリッジ収納部が形成されている。
【００２７】
記録ヘッド１５２は、プラテン１５３と所定の間隔が空くようにしてキャリッジ１５１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。次に、本発明の特徴的な部分であるスタッカ１３２について図を参照して説明する。
【００２８】
図５（ａ）は、スタッカ１３２の上面図であり、図５（ｂ）は、スタッカ１３２を前面図であり、図５（ｃ）は、スタッカ１３２の側面図であり、図６は、スタッカ１３２の裏面の詳細を示す斜視図である。スタッカ１３２は、図５（ａ）に示すように、プリンタ本体に差し込むための差込面部１３２ａと、用紙を載置するため、及び光ディスクを保持するための載置面部１３２ｂ（載置部）とを有する。
【００２９】
差込面部１３２ａには、プリンタ本体のスタッカ差込口１３３に差し込むための差込部１３２ｃが形成されている。差込部１３２ｃは、主走査方向の幅がスタッカ差込口１３３の幅と略同じであり、櫛状に形成されている。このスタッカ１３２によると、差込部１３２ｃをスタッカ差込口１３３に差し込むことにより、差込部１３２ｃがスタッカ差込口１３３の内部においてプリンタ本体と係止されることとなり、スタッカ１３２がプリンタ本体に装着された状態を維持できるようになっている。
【００３０】
載置面部１３２ｂは、図５に示すように、略矩形平板状に形成されており、一方の面（図５（ｂ）における左側面）には、排紙される用紙を１枚もしくは複数枚スタック可能な用紙載置面１３２ｄが形成され、他方の面（図５（ｂ）における右側面）には、光ディスクを保持可能なディスク収納面１３２ｅが形成されている。載置面部１３２ｂは、差込部１３２ｃが形成された差込面部１３２ａと所定の角度をなすように形成されている。本実施形態では、載置面部１３２ｂの用紙載置面１３２ｄ側が差込面部１３２ａと１８０度未満の角度となるように形成されている。このように形成されているので、スタッカ１３２の用紙載置面１３２ｄを上方に向けて、スタッカ１３２をプリンタ本体に装着させると、用紙載置面１３２ｄの用紙搬送方向の最下流となる端部が差込面部１３２ａより高い位置に維持されることとなり、インクジェット式プリンタ１００から排紙される用紙がスタッカ１３２から落下することを適切に防止することができる。
【００３１】
スタッカ１３２は、光ディスクへの記録を行う際には、差込面部１３２ａと反対側の載置面部１３２ｂからインクジェット式プリンタ１００に挿入されるようになっており、載置面部１３２ｂの挿入方向の長さ（図５（ａ）における上下方向の長さ）は、記録時に最も挿入された場合であっても、差込面部１３２ａがインクジェット式プリンタ１００と接触しない長さとなっている。このため、光ディスクへの記録時に、差込面部１３２ａによる記録時の悪影響を防止できる。スタッカ１３２のディスク収納面１３２ｅには、図６に示すように、略中央部には光ディスクＤが収納可能な円形凹状のディスク収納部１３２ｆ（円状溝）が形成されている。そして、このディスク収納部１３２ｆの外周部（周縁）の一部における対向２箇所には光ディスクＤを取り出すための半円形状のディスク取出し穴１３２ｇ（半円状溝）が穿設されている。このディスク取出し穴１３２ｇの深さは、ディスク収納部１３２ｆの深さよりも浅くなっている。
【００３２】
図７は、光ディスクのレーベル面に記録する場合のインクジェット式プリンタ１００の状態を示す斜視図である。用紙に記録する場合は、図２に示すように、ユーザは、スタッカ１３２の用紙載置面１３２ｄを上方に向けた状態で、スタッカ１３２をスタッカ差込口１３３に差し込む。これにより、スタッカ１３２の載置面部１３２ｂが差込面部１３２ａより高い位置になるようにプリンタ本体に装着されることとなり、排紙される用紙を前方に落ちないように確実に積層載置することができる。
【００３３】
光ディスクに記録する場合は、図７に示すように、先ず、ユーザは、スタッカ１３２をスタッカ差込口１３３から抜き取り、スタッカ１３２を裏返して、スタッカ１３２のディスク収納面１３２ｅのディスク収納部１３２ｆに光ディスクＤを収納する。次に、ユーザは、このスタッカ１３２を載置面部１３２ｂの差込部１３２ｃと反対側の部分から排紙口１３１に差し込み、図示しない排紙ローラを通って紙送りローラとその従動ローラのニップ点に突き当たるまで挿入してセットする。
【００３４】
そして、ユーザは、光ディスクＤが収納されスタッカ１３２を紙送りローラとその従動ローラのニップ点まで差し込んでセットしたら、操作部１１０の光ディスク記録開始ボタンを押す。これにより、排紙ローラが逆回転してスタッカ１３２の載置面部１３２ｂの差込部１３２ｃと反対側の部分を紙送りローラとその従動ローラにニップさせ、更に紙送りローラが逆回転してスタッカ１３２を所定位置まで逆搬送する。そして、紙送りローラが正回転してスタッカ１３２を記録開始位置に位置決めした後、更に紙送りローラが正回転してスタッカ１３２を搬送する。
【００３５】
同時に、図示しないキャリッジモータとキャリッジベルトによりキャリッジに搭載された記録ヘッドが走査され、光ディスクＤのレーベル面が記録される。その後、排紙ローラが正回転してスタッカ１３２を排紙口１３１から突出させる。ユーザは、スタッカ１３２を排紙口１３１から抜き取り、記録が完了した光ディスクＤをスタッカ１３２のディスク収納部１３２ｆから取り出す。以上により、光ディスクＤのレーベル面への記録が完了する。
【００３６】
以上のように、上述の実施形態によれば、インクジェット式プリンタ１００に着脱可能であるスタッカ１３２がディスク状媒体の記録時に使用するトレイを兼ねる構造に形成されているので、部品の点数やコストの増加を抑えることができると共に紛失を防止することができる。尚、上述の実施形態では、スタッカ１３２をディスク状媒体の記録時に使用するトレイを兼ねる構造に形成していたが、これに限られず、例えば、ペーパーサポート等の他の被記録媒体トレイをディスク状媒体の記録時に使用するトレイを兼ねる構造に形成するようにしても良い。
【産業上の利用可能性】
【００３７】
被記録媒体トレイを備えた記録装置であれば、例えばファクシミリ装置、コピー装置等であっても適用可能である。
【図面の簡単な説明】
【００３８】
【図１】本発明の一実施の形態に係る記録装置の１つであるインクジェット式プリンタの外観構成全体の斜視図である。
【図２】図１のプリンタのペーパーサポート及びスタッカ取付時の外部構成全体の斜視図である。
【図３】図１のプリンタの内部構成の概略を示す斜視図である。
【図４】図１のプリンタの内部構成の概略を示す断面側面図である。
【図５】図１のプリンタのスタッカの上面、前面、及び側面を示す図である。
【図６】図１のプリンタのスタッカの裏面の詳細を示す斜視図である。
【図７】光ディスクのレーベル面に記録する場合のインクジェット式プリンタの状態を示す斜視図である。
【符号の説明】
【００３９】
１００  インクジェット式プリンタ、１１０  操作部、１２０  給紙部、１２２  ペーパーサポート、１３０  排紙部、１３１  排紙口、１３２  スタッカ、１３２ａ  差込面部、１３２ｂ  載置面部、１３２ｃ  差込部、１３２ｄ  用紙載置面、１３２ｅ  ディスク収納面、１３２ｆ  ディスク収納部、１３２ｇ  ディスク取出し穴、１３３  スタッカ差込口、１４０  用紙搬送部、１４０  記録部、１５２  記録ヘッド、１５３  プラテン。
【図１】
2007276176.tif 000003
【図２】
2007276176.tif 000004
【図３】
2007276176.tif 000005
【図４】
2007276176.tif 000006
【図５】
2007276176.tif 000007
【図６】
2007276176.tif 000008
【図７】
2007276176.tif 000009